【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
指向性細胞成長を促進する、損傷組織に適用するためのポリマー接着性フィルムであって、
該ポリマー接着性フィルムの第一の表面上に配置されたミクロパターンを含み、
該ミクロパターンが、損傷組織の細胞がミクロパターン内を指向性を有して成長することを許容するサイズとされる、ポリマー接着性フィルム。
【手続補正２】
【補正対象書類名】明細書
【補正対象項目名】００３９
【補正方法】変更
【補正の内容】
【００３９】
具体的に記載された実施態様および方法の変更と改良は、特許請求の範囲の請求項によってのみ制限される本発明の精神を逸脱することなく行うことができる。例えば、接頭語「ミクロ」と「ナノ」が明細書と請求項の中の様々な場所で使用されるが、様々な実施態様では、ミクロについて記載された特徴がナノスケールで形成されることができ、その逆もまた同様であると理解されるべきである。さらに、様々な実施態様の特徴は、ある特定の実施態様で組み合わされることができると想定される。
本発明は以下の実施態様を含む。
第１項：  指向性細胞成長を促進する、損傷組織に適用するためのポリマー接着性フィルムであって、
該ポリマー接着性フィルムの第一の表面上に配置されたミクロパターンを含み、
該ミクロパターンが、損傷組織の細胞がミクロパターン内を指向性を有して成長することを許容するサイズとされる、ポリマー接着性フィルム。
第２項：  該ミクロパターンが、該ポリマー接着性フィルムの第一の表面の一部にのみ配置される、第１項のポリマー接着性フィルム。
第３項：  該ミクロパターンが、複数のミクロチューブを含む、第１項のポリマー接着性フィルム。
第４項：  該ミクロパターンが、ほぼ第一の方向に配置された第一の複数のミクロチューブを含む、第３項のポリマー接着性フィルム。
第５項：  該ミクロパターンが、さらにほぼ第二の方向に配置された第二の複数のミクロチューブをさらに含み、該第二の方向が該第一の方向とほぼ直角である、第４項のポリマー接着性フィルム。
第６項：  該ミクロチューブが、損傷組織の単一細胞のサイズよりも大きな直径を有する、第３項のポリマー接着性フィルム。
第７項：  該ミクロチューブが、約０．５ミクロンから約１００ミクロンの間の直径を有する、第３項のポリマー接着性フィルム。
第８項：  該ミクロパターンが、複数のミクロリッジを含む、第１項のポリマー接着性フィルム。
第９項：  該ミクロリッジが、矩形、正方形、円の一部、楕円の一部、または三角形の断面形状を有する、第８項のポリマー接着性フィルム。
第１０項：  該ミクロリッジが、損傷組織の単一細胞のサイズよりも大きな距離で互いに離れて配置される、第８項のポリマー接着性フィルム。
第１１項：  該ミクロリッジが、約０．５ミクロンから約１００ミクロンの間の距離で互いに離れて配置される、第８項のポリマー接着性フィルム。
第１２項：  該ミクロリッジが、該ミクロリッジの上に配置される複数のピラーをさらに含む、第８項のポリマー接着性フィルム。
第１３項：  該ミクロパターンが、複数のミクロトラフを含む、第１項のポリマー接着性フィルム。
第１４項：  該複数のミクロトラフが、複数の第一のミクロトラフと、これに直角に配置された複数の第二のミクロトラフを含む、第１３項のポリマー接着性フィルム。
第１５項：  該ミクロトラフが、矩形、正方形、円の一部、楕円の一部、または三角形の断面形状を有する、第１３項のポリマー接着性フィルム。
第１６項：  該ミクロトラフが、損傷組織の単一細胞のサイズよりも大きな幅を有する、第１３項のポリマー接着性フィルム。
第１７項：  該ミクロトラフが、約０．５ミクロンから約１００ミクロンの間の幅を有する、第１３項のポリマー接着性フィルム。
第１８項：  該ポリマー接着性フィルムが、グリセロールと二酸の生分解性縮合ポリマーを含む、第１項のポリマー接着性フィルム。
第１９項：  該ポリマー接着性フィルムが、ポリ（グリセロールセバケート）、低いアクリル分のポリ（グリセロールセバケート）−アクリレート、高いアクリル分のポリ（グリセロールセバケート）−アクリレート、ポリ（グリセロールセバケート）−アクリレート−コ−ポリ（エチレングリコール）ネットワーク、ポリ（グリセロールマロネート）、ポリ（グリセロールスクシネート）、ポリ（グリセロールグルタレート）、ポリ（グリセロールアジペート）、ポリ（グリセロールピメレート）、ポリ（グリセロールスベレート）、ポリ（グリセロールアゼレート）、グリセロールと１０以上の炭素原子を有する二酸のポリマー、グリセロールと１５以上の炭素原子を有する二酸のポリマー、グリセロールと２０以上の炭素原子を有する二酸のポリマー、またはグリセロールと２５以上の炭素原子を有する二酸のポリマー、グリセロールと非脂肪族二酸のポリマーから成る群から選択されるポリマーを含む、第１８項のポリマー接着性フィルム。
第２０項：  該組織が歯肉組織である、第１項のポリマー接着性フィルム。
第２１項：  指向性細胞成長を促進する、損傷組織に適用するためのポリマー接着性フィルムの形成方法であって、
該ポリマー接着性フィルムの第一の表面上に配置されたミクロパターン形成することを含み、
該ミクロパターンが、損傷組織の細胞がミクロパターン内を指向性を有して成長することを許容するサイズとされる、ポリマー接着性フィルムの形成方法。
第２２項：  該ミクロパターンが、複数のミクロチューブを含む、第２１項のポリマー接着性フィルムの形成方法。
第２３項：  該ミクロパターンの形成が、第一の複数のミクロチューブを第一のポリマー接着性フィルムに適用し、該第一のポリマー接着性フィルムを硬化することを含む、第２１項のポリマー接着性フィルムの形成方法。
第２４項：  該第一のポリマー接着性フィルムをエッチングし、該第一の複数のミクロチューブを露出させることを含む、第２３項のポリマー接着性フィルムの形成方法。
第２５項：  該第一の複数のミクロチューブを第一の方向にほぼ整列させることを含む、第２３項のポリマー接着性フィルムの形成方法。
第２６項：  該第一のポリマー接着性フィルムをこすり、第一の複数のミクロチューブを第一の方向にほぼ整列させることをさらに含む、第２５項のポリマー接着性フィルムの形成方法。
第２７項：  第二のポリマー接着性フィルムに第二の複数のミクロチューブを適用し、第二のポリマー接着性フィルムをこすり、第二の複数のミクロチューブを第二の方向にほぼ整列させ、該第二のポリマー接着性フィルを該第一のポリマー接着性フィルに適用することをさらに含み、前記第一の方向と第二の方向とはほぼ直角である、第２６項のポリマー接着性フィルムの形成方法。
第２８項：  該ミクロパターンが、複数のミクロリッジを含む、第２１項のポリマー接着性フィルムの形成方法。
第２９項：  該ミクロリッジが、該ミクロリッジの上に配置される複数のピラーをさらに含む、第２８項のポリマー接着性フィルムの形成方法。
第３０項：  該ミクロトラフが型を使用して成形される、第２８項のポリマー接着性フィルムの形成方法。
第３１項：  該ミクロパターンが複数のミクロトラフを含む、第２８項のポリマー接着性フィルムの形成方法。
第３２項：  該ミクロトラフが型を使用して成形される、第３１項のポリマー接着性フィルムの形成方法。